(57)【要約】【課題】本発明は、相手側のレゾルバ取付穴に対して、何らの加工を行うことなくレゾルバを簡単に装着することができるようにすることである。【解決手段】本発明によるレゾルバのリード線固定構造は、輪状ステータコア(1)の第１端面(1A)に設けられたアンダーカバー(52)と、第１輪状絶縁キャップ(20)に一体形成されアンダーカバー(52)の外側に位置するリード線保持部(5)と、前記リード線保持部(5)に設けられ前記リード線(7)を前記リード線保持部(5)に固定するための圧着端子(55)とを備え、前記リード線(7)は軸方向(A)に沿って延設されている構成である。【選択図】図３
2017131030.tif 000002
【特許請求の範囲】
【請求項１】
所定角度間隔毎に内方に向けて突出する突出磁極(8)を有する輪状ステータコア(1)と、前記輪状ステータコア(1)の第１、第２端面(1A,1B)に設けられた第１、第２輪状絶縁キャップ(20,30)と、前記第１、第２輪状絶縁キャップ(20,30)を介して前記各突出磁極(8)に巻回されたステータ巻線(2)と、前記ステータ巻線(2)の端線(2a)に接続されたリード線(7)と、よりなるレゾルバのリード線固定構造において、
前記輪状ステータコア(1)の前記第１端面(1A)に設けられたアンダーカバー(52)と、前記第１輪状絶縁キャップ(20)に一体形成され前記アンダーカバー(52)の外側に位置するリード線保持部(5)と、前記リード線保持部(5)に設けられ前記リード線(7)を前記リード線保持部(5)に固定するための圧着端子(55)と、前記リード線保持部(5)を覆うための上カバー部(56)と、を備え、
前記リード線(7)は前記アンダーカバー(52)の外壁(52b)に沿って曲折されると共に前記輪状ステータコア(1)の軸方向(A)に沿って曲折され、
前記圧着端子(55)の自由端(57)は、前記上カバー部(56)を貫通して外方に突出し、前記自由端(57)には前記端線(2a)が接続され、
前記輪状ステータコア(1)のステータ外周面(1M)及び前記アンダーカバー(52)のカバー外周面(52N)の内側に、前記リード線(7)が軸方向(A)に沿って曲折して配設されていることを特徴とするレゾルバのリード線固定構造。
【請求項２】
前記ステータ外周面(1M)と前記カバー外周面(52N)は、互いに面一であることを特徴とする請求項１記載のレゾルバのリード線固定構造。
【請求項３】
前記アンダーカバー(52)の背面にこれと一体に突出した係止突部(53)が設けられ、前記係止突部(53)は前記輪状ステータコア(1)を貫通し前記第２端面(1B)にて係止されていることを特徴とする請求項１又は２記載のレゾルバのリード線固定構造。
【請求項４】
前記係止は、前記係止突部(53)に設けられた係止爪(53a)が前記第２端面(1B)に係止していることを特徴とする請求項１ないし３の何れかに記載のレゾルバのリード線固定構造。
【発明の詳細な説明】
【技術分野】
【０００１】
本発明は、レゾルバのリード線固定構造に関し、特に、第１輪状絶縁キャップに設けられたリード線保持部に圧着端子で固設されたリード線を軸方向に沿って延設できるようにするための新規な改良に関する。
【背景技術】
【０００２】
従来、用いられていたこの種のレゾルバのリード線固定構造としては、例えば、図１５から図１７で示される特許文献１及び特許文献２の構成を上げることができる。
すなわち、図１５に示される特許文献１の構成において、符号１で示されるものは、所定角度間隔毎に内方へ向けて突出する複数の突出磁極８を有する輪状ステータコアであり、前記各突出磁極８には、前記輪状ステータコア１の第１、第２端面１Ａ，１Ｂに設けられた第１、第２輪状絶縁キャップ２０,３０を介してステータ巻線２が巻回されている。
【０００３】
前記第１輪状絶縁キャップ２０から一体に延設された端子保持部５には、複数の端子ピン４ａが設けられ、前記各ステータ巻線２の端線(図示せず)は前記各端子ピン４ａに巻回されている。
前記端子ピン保持部材４の各端子ピン４ａに接続されたリード線７はコネクタ６を介して外方に延出されている。
前記第２輪状巻線カバー１１の延設部１１ａは、前記輪状ステータコア１の一部を覆うと共に前記端子保持部５と一体に接続されている。
【０００４】
図１６及び図１７で示される従来構成は、特許文献２で示される構成であり、図１５と同一又は同等部分には同一符号を用いて説明する。図１６は正面図、図１７は図１６の断面Ａ−Ａの拡大図である。
図１６において、符号１で示されるものは、輪状ステータコアであり、この輪状ステータコア１の内側には、所定角度間隔で複数の突出磁極８が設けられており、前記各突出磁極８には、一体又は別体の第１、第２輪状絶縁キャップ２０,３０を介してステータ巻線２が巻回されている。
【０００５】
前記第１輪状絶縁キャップ２０には、これと一体で、かつ、半径方向に突出して外方に突出するように構成された端子保持部５が設けられている。
前記端子保持部５には、複数のパターン２２を有するプリント基板５Ａが設けられ、前記プリント基板５Ａの各パターン２２には、前記ステータ巻線２の端線２ａが半田又はヒュージング等で接続されている。
また、図１７で示されるものは、図１６の拡大断面Ａ−Ａ図であり、図１６と同一部分には同一符号を付し、その説明は省略するが、各ステータ巻線２の端線２ａは前記プリント基板５Ａに接続されている。
図１７で明らかなように、前記端子保持部５は、輪状ステータコア１の端部１Ｄから半径方向に突出し、各リード線７は、前記輪状ステータコア１の端部１Ｄの端面１Ｅよりも半径方向外側位置において軸方向に沿って延設されている。
【先行技術文献】
【特許文献】
【０００６】
【特許文献１】米国特許第５，９２０，１３５号明細書
【特許文献２】特開２００２−２８１７１６号公報
【発明の概要】
【発明が解決しようとする課題】
【０００７】
従来のレゾルバのリード線固定構造は、以上のように構成されていたため、次のような課題が存在していた。
すなわち、図１５に記載されているレゾルバのリード線固定構造は、輪状ステータコア１の周縁部からリード線７を介してコネクタ６が突出していたため、ユーザー側にて、輪状ステータコア１の外周に図示しない装置を装着し、リード線７を無理に軸方向に沿って引き出そうとする場合、端子保持部５の周縁での突出が障害となって、レゾルバを取付ける相手方の装置の加工又は変形等が必要となっていた。
【０００８】
本発明は、以上のような課題を解決するためになされたもので、特に、本発明は、レゾルバのリード線固定構造に関し、特に、第１輪状絶縁キャップに設けられたリード線保持部に、圧着端子で固設されたリード線を軸方向に沿って延設できるように構成したレゾルバのリード線固定構造を提供することを目的とする。
【課題を解決するための手段】
【０００９】
本発明によるレゾルバのリード線固定構造は、所定角度間隔毎に内方に向けて突出する突出磁極を有する輪状ステータコアと、前記輪状ステータコアの第１、第２端面に設けられた第１、第２輪状絶縁キャップと、前記第１、第２輪状絶縁キャップを介して前記各突出磁極に巻回されたステータ巻線と、前記ステータ巻線の端線に接続されたリード線と、よりなるレゾルバのリード線固定構造において、前記輪状ステータコアの前記第１端面に設けられたアンダーカバーと、前記第１輪状絶縁キャップに一体形成され前記アンダーカバーの外側に位置するリード線保持部と、前記リード線保持部に設けられ前記リード線を前記リード線保持部に固定するための圧着端子と、前記リード線保持部を覆うための上カバー部と、を備え、前記リード線は前記アンダーカバーの外壁に沿って曲折されると共に前記輪状ステータコアの軸方向に沿って曲折され、前記圧着端子の自由端は、前記上カバー部を貫通して外方に突出し、前記自由端には前記端線が接続され、前記輪状ステータコアのステータ外周面及び前記アンダーカバーのカバー外周面の内側に、前記リード線が軸方向に沿って曲折して配設されている構成であり、また、前記ステータ外周面と前記カバー外周面は、互いに面一である構成であり、また、前記アンダーカバーの背面にこれと一体に突出した係止突部が設けられ、前記係止突部は前記輪状ステータコアを貫通し前記第２端面にて係止されている構成であり、また、前記係止は、前記係止突部に設けられた係止爪が前記第２端面に係止している構成である。
【発明の効果】
【００１０】
本発明によるレゾルバのリード線固定構造は、以上のように構成されているため、次のような効果を得ることができる。
すなわち、所定角度間隔毎に内方に向けて突出する突出磁極を有する輪状ステータコアと、前記輪状ステータコアの第１、第２端面に設けられた第１、第２輪状絶縁キャップと、前記第１、第２輪状絶縁キャップを介して前記各突出磁極に巻回されたステータ巻線と、前記ステータ巻線の端線に接続されたリード線と、よりなるレゾルバのリード線固定構造において、前記輪状ステータコアの前記第１端面に設けられたアンダーカバーと、前記第１輪状絶縁キャップに一体形成され前記アンダーカバーの外側に位置するリード線保持部と、前記リード線保持部に設けられ前記リード線を前記リード線保持部に固定するための圧着端子と、前記リード線保持部を覆うための上カバー部と、を備え、前記リード線は前記アンダーカバーの外壁に沿って曲折されると共に前記輪状ステータコアの軸方向に沿って曲折され、前記圧着端子の自由端は、前記上カバー部を貫通して外方に突出し、前記自由端には前記端線が接続され、前記輪状ステータコアのステータ外周面及び前記アンダーカバーのカバー外周面の内側に、前記リード線が軸方向に沿って曲折して配設されていることにより、前記圧着端子に設けられたリード線を前記ステータ外周面の内側に配設することができ、相手方の装置の形状を変えることなく、確実かつ容易にレゾルバの取付けができ、リード線を軸方向に取出すことができる。
また、前記ステータ外周面と前記カバー外周面は、互いに面一であることにより、相手方の受け穴等に加工を加えることなく、簡単に、レゾルバを相手方の装置に取付けることができる。
また、前記アンダーカバーの背面にこれと一体に突出した係止突部が設けられ、前記係止突部は前記輪状ステータコアを貫通し前記第２端面にて係止されていることにより、アンダーカバーを簡単に輪状ステータコアに設けることができる。
また、前記係止は、前記係止突部に設けられた係止爪が前記第２端面に係止していることにより、アンダーカバーの取付けを容易に行うことができる。
【図面の簡単な説明】
【００１１】
【図１】本発明によるレゾルバのリード線固定構造の輪状ステータコアを示す正面図である。
【図２】図１の右側面図である。
【図３】図１の断面Ａ−Ａ拡大図である。
【図４】図１の要部の拡大斜視図である。
【図５】図４のアンダーカバーに上カバー部を設けた斜視図である。
【図６】図１の第１輪状絶縁キャップの正面図である。
【図７】図６の右側面図である。
【図８】図６の圧着端子を示す構成図である。
【図９】図６にアンダーカバーを設けた構成を示す正面図である。
【図１０】図９の右側面図である。
【図１１】図１０の右側面図である。
【図１２】本発明の輪状ステータコアに図９の第１輪状絶縁キャップを設けた正面図である。
【図１３】図１２の右側面図である。
【図１４】図１３の右側面図である。
【図１５】従来のレゾルバの断面図である。
【図１６】他の従来のレゾルバの正面図である。
【図１７】図１６のＡ−Ａ拡大断面図である。
【発明を実施するための形態】
【００１２】
本発明によるレゾルバのリード線固定構造は、第１輪状絶縁キャップに設けられたリード線保持部に圧着端子で固設されたリード線を軸方向に沿って延設できるようにすることである。
【実施例】
【００１３】
以下、図面と共に本発明によるレゾルバのリード線固定構造の好適な実施の形態について説明する。
尚、従来例と同一又は同等部分には、同一符号を付して説明する。
図１及び図２において符号１で示されるものは、その周縁位置に凹部５０と孔５１とを交互に有する輪状ステータコアであり、この輪状ステータコア１の第１端面１Ａ及び第２端面１Ｂには、第１輪状絶縁キャップ２０及び第２輪状絶縁キャップ３０が、互いに一体又は別体の状態で設けられている。
【００１４】
前記各突出磁極８には、各輪状絶縁キャップ２０,３０を介してステータ巻線２が巻回され、前記ステータ巻線２の端線２ａは、後述の圧着端子５５の自由端５７にからげられている。前記第１輪状絶縁キャップ２０の一端１Ｄには、半径方向に沿って外方に突出するリード線保持部５が一体に設けられている。
【００１５】
前記第１輪状絶縁キャップ２０が、図３で示されるように、外側へ向けて曲折した状態で前記リード線保持部５が一体に形成されている。
前記輪状ステータコア１の第１端面１Ａには全体形状がＬ字形をなすアンダーカバー５２が設けられ、前記アンダーカバー５２の裏面５２ａに一体形成された突出形状の係止突部５３が前記輪状ステータコア１の孔５１を貫通して、図３の右側で示されるように、前記第２端面１Ｂ側へ突出し、前記係止突部５３の係止爪５３ａが前記第２端面１Ｂに係止し、前記アンダーカバー５２は前記第１端面１Ａに接した状態で固定配設されている。
【００１６】
前記アンダーカバー５２の内側に形成された開口５４の外側には、前記リード線保持部５が位置しており、前記リード線保持部５の裏面には、周知の圧着端子５５によって前記リード線保持部５に一体状に固着された複数のリード線７が設けられている。
前記各リード線７は、前記アンダーカバー５２の外壁５２ｂに沿って軸方向Ａの方向に曲折されている。
前記リード線保持部５の外側には、板状をなす上カバー部５６が設けられ、図１で示されるように、セクター形をなす前記リード線保持部５を覆うことができるように構成されている。
【００１７】
前記圧着端子５５は、前述の図２及び図３で示されるように、その一部が自由端５７として前記リード線７に導通する従来の接続ピンの作用を有し、前記端線２ａは、前述したように、前記自由端５７にからげられている。
前記輪状ステータコア１のステータ外周面１Ｍ及び前記アンダーカバー５２のカバー外周面５２Ｎの内側に、前記リード線が軸方向Ａに沿って曲折して配設されている。
前記ステータ外周面１Ｍと前記カバー外周面５２Ｎは、軸方向Ａでみて図３のように、互いに面一となるように構成されていることにより、ユーザーである相手方の装置の取付穴等を特に加工することなく、真円の取付穴等に前記輪状ステータコア１を容易に装着することができる。
【００１８】
図４は、前記輪状ステータコア１の前記第１端面１Ａに対して、前記リード線保持部５を一体に有する第１輪状絶縁キャップ２０を装着した要部の状態を示しており、各圧着端子５５に前記各リード線７が圧着カシメによって取付けられ、前記各突出磁極８にステータ巻線が一部巻回されている状態が示されている。尚、その他の構成の説明は、前述と重複のため省略している。
【００１９】
図５は、前述の図４の構成の前記リード線保持部５の上部に、前記各圧着端子５５を覆うための前記上カバー部５６が設けられている状態を示しており、他の構成の説明は、前述と重複のため省略している。
【００２０】
図６の構成は、前記第１輪状絶縁キャップ２０に各リード線７が取付けられた正面図を示しており、図７は図６のリード線７を示し、図８は図６の背面の前記各圧着端子５５を示している。
【００２１】
図９の構成は、図６の前記リード線保持部５の外周に前記アンダーカバー５２が設けられていることを示し、図１０では、前記アンダーカバー５２に一体に取付けられた係止突部５３が前記リード線７と反対方向に突出している構成を示している。
図１１の構成は、前記係止突部５３の係止爪５３ａが前記第２端面１Ｂに係止して、前記アンダーカバー５２が前記輪状ステータコア１の前記第１端面１Ａに取付けられている構成が示されている。
【００２２】
図１２は、前述のように構成された前記輪状ステータコア１の第１端面１Ａに対して前記第１輪状絶縁キャップ２０を取付けた状態を示す構成図であり、図１３は前記輪状ステータコア１の各端面１Ａ，１Ｂに対して、前記各輪状絶縁キャップ２０,３０を取付けた状態を示し、図１４は図１３の右側面図である。
【００２３】
次に、本発明によるレゾルバのリード線固定構造の要旨とするところは、以下の通りである。
すなわち、所定角度間隔毎に内方に向けて突出する突出磁極８を有する輪状ステータコア１と、前記輪状ステータコア１の第１、第２端面１Ａ，１Ｂに設けられた第１、第２輪状絶縁キャップ２０，３０と、前記第１、第２輪状絶縁キャップ２０，３０を介して前記各突出磁極８に巻回されたステータ巻線２と、前記ステータ巻線２の端線２ａに接続されたリード線７と、よりなるレゾルバのリード線固定構造において、前記輪状ステータコア１の前記第１端面１Ａに設けられたアンダーカバー５２と、前記第１輪状絶縁キャップ２０に一体形成され前記アンダーカバー５２の外側に位置するリード線保持部５と、前記リード線保持部５に設けられ前記リード線７を前記リード線保持部５に固定するための圧着端子５５と、前記リード線保持部５を覆うための上カバー部５６と、を備え、前記リード線７は前記アンダーカバー５２の外壁５２ｂに沿って曲折されると共に前記輪状ステータコア１の軸方向Ａに沿って曲折され、前記圧着端子５５の自由端５７は、前記上カバー部５６を貫通して外方に突出し、前記自由端５７には前記端線２ａが接続され、前記輪状ステータコア１のステータ外周面１Ｍ及び前記アンダーカバー５２のカバー外周面５２Ｎの内側に、前記リード線７が軸方向Ａに沿って曲折して配設されている構成であり、また、前記ステータ外周面１Ｍと前記カバー外周面５２Ｎは、互いに面一である構成であり、また、前記アンダーカバー５２の背面にこれと一体に突出した係止突部５３が設けられ、前記係止突部５３は前記輪状ステータコア１を貫通し前記第２端面１Ｂにて係止されている構成であり、また、前記係止は、前記係止突部５３に設けられた係止爪５３ａが前記第２端面１Ｂに係止している構成である。
【産業上の利用可能性】
【００２４】
本発明によるレゾルバのリード線固定構造は、輪状ステータコアの第1端面側に、外壁を有するアンダーカバーを設け、第１輪状絶縁キャップのリード線保持部に圧着端子を介してリード線を取付け、前記外壁を介して前記リード線を軸方向に沿って曲折導出でき、ユーザー側では受け側の変更を行うことなく、レゾルバをユーザー側の装置に容易に取付けることができる。
【符号の説明】
【００２５】
１    輪状ステータコア
１Ａ    第１端面
１Ｂ    第２端面
１Ｍ    ステータ外周面
２    ステータ巻線
２ａ    端線
５    リード線保持部
７    リード線
８    突出磁極
２０    第１輪状絶縁キャップ
３０    第２輪状絶縁キャップ
５０    凹部
５１    孔
５２    アンダーカバー
５２ａ    裏面
５２ｂ    外壁
５２Ｎ    カバー外周面
５３    係止突部
５３ａ    係止爪
５４    開口
５５    圧着端子
５６    上カバー部
５７    自由端
Ａ    軸方向
【図１】
2017131030.tif 000003
【図２】
2017131030.tif 000004
【図３】
2017131030.tif 000005
【図４】
2017131030.tif 000006
【図５】
2017131030.tif 000007
【図６】
2017131030.tif 000008
【図７】
2017131030.tif 000009
【図８】
2017131030.tif 000010
【図９】
2017131030.tif 000011
【図１０】
2017131030.tif 000012
【図１１】
2017131030.tif 000013
【図１２】
2017131030.tif 000014
【図１３】
2017131030.tif 000015
【図１４】
2017131030.tif 000016
【図１５】
2017131030.tif 000017
【図１６】
2017131030.tif 000018
【図１７】
2017131030.tif 000019